(57)【要約】【課題】本発明は、読取画像を電子メール等で指定の出力先に出力する際の利便性を向上させた画像処理装置に関する。【解決手段】デジタル複写装置１は、読取部１０の読み取って生成した原稿の画像データから該原稿の画像に予め埋め込まれている埋め込み画像の埋め込み画像データを抽出し、該抽出した埋め込み画像データから該埋め込み画像に組み込まれている画像処理コマンドを解析して該原稿画像データに対して実施する画像処理内容を取得し、該取得した画像処理内容に応じた画像処理を原稿画像データに対して実施する。したがって、原稿画像データの送信先の指定や必要な画像処理内容の取得を簡単かつ正確に行うことができ、利用性及び機密保持性を向上させることができる。【選択図】          図１
2008113125.tif 000002
【特許請求の範囲】
【請求項１】
原稿の画像を読み取って画像データを生成する画像読取手段と、該画像読取手段の生成した原稿画像データから該原稿の画像に予め埋め込まれている埋め込み画像の埋め込み画像データを抽出する抽出手段と、該抽出手段の抽出した埋め込み画像データから該埋め込み画像に組み込まれている画像処理コマンドを解析して前記原稿画像データに対して実施する画像処理内容を取得する解析手段と、該解析手段の取得した画像処理内容に応じた画像処理を前記原稿画像データに対して実施する画像処理手段と、を備えていることを特徴とする画像処理装置。
【請求項２】
前記画像処理装置は、前記画像処理コマンドとして、前記原稿画像データの出力先情報を規定する出力先コマンドと該出力先へ出力する前記原稿画像データに施す出力画像処理内容を規定する出力画像処理コマンドから構成されていることを特徴とする請求項１記載の画像処理装置。
【請求項３】
前記画像処理装置は、前記出力先コマンドに対応する出力先情報と前記出力画像処理コマンドに対応する前記出力画像処理内容を記憶する記憶手段を備え、前記解析手段は、前記出力先コマンドと前記出力画像処理コマンドに基づいて該記憶手段を参照して前記画像処理内容として該出力先情報と該出力画像処理内容を取得することを特徴とする請求項２記載の画像処理装置。
【請求項４】
前記出力先コマンドは、前記出力先情報として、前記原稿画像データを出力する出力先の電子メールアドレス、前記原稿画像データを出力する出力先の記憶手段、または、前記原稿画像データを出力する出力先の記憶手段のフォルダの情報であることを特徴とする請求項２または請求項３記載の画像処理装置。
【請求項５】
前記画像処理コマンドは、前記出力画像処理内容として、前記出力画像に対する解像度を指定する情報を含むことを特徴とする請求項２から請求項４のいずれかに記載の画像処理装置。
【発明の詳細な説明】
【技術分野】
【０００１】
本発明は、画像処理装置に関し、詳細には、読取画像を電子メール等で指定の出力先に出力する際の利便性を向上させた画像処理装置に関する。
【背景技術】
【０００２】
近時、スキャナやスキャナ機能を搭載するＭＦＰ（マルチファンクション装置）等のスキャナ機能を備えた画像処理装置においては、スキャナ機能で読み取った画像データを電子メール送信することが行われるようになってきている。
【０００３】
このようなスキャナ機能を備えた画像処理装置は、スキャナ機能で読み取った画像データを指定の宛先に電子メール送信する場合、画像処理装置の操作部のキー操作によって入力された送信先の電子メールアドレス宛に該読取画像データを添付した電子メールを送信している。
【０００４】
ところが、送信先の電子メールアドレスをいちいち操作部のキー操作で入力すると、入力操作が煩わしく、利用性が悪いだけでなく、誤入力により意図しない宛先に画像データが送信されてしまい、機密を保持する上でも、問題となっていた。
【０００５】
そこで、本出願人は、先に、宛先名称に対応して、相手先番号やファクシミリ番号が登録されているアドレス帳を備えており、インターネット通信機能が追加されると、該アドレス帳の各宛先に対して、メールアドレスを追加登録して、アドレス帳のメールアドレスを利用して電子メールで画像送信を可能とした通信端末装置及び画像形成装置を提案している（特許文献１参照）。
【０００６】
【特許文献１】特開２００４−８０４５０号公報
【発明の開示】
【発明が解決しようとする課題】
【０００７】
しかしながら、上記特許文献記載の従来技術にあっては、アドレス帳のメールアドレスを指定することで、送信先のメールアドレスの指定を行えるようになっているため、アドレス帳を開いてメールアドレスを指定する必要があり、指定操作が面倒で、利用性を向上させる上で改良の必要があるだけでなく、アドレス帳でのメールアドレスの指定を間違えると、やはり誤指定により意図しない宛先に画像データが送信されてしまい、機密を保持する上で改良の必要があった。
【０００８】
そこで、本発明は、読取画像データの送信先の指定等の画像処理内容を簡単かつ正確に行って、利用性及び機密保持性を向上させることのできる画像処理装置を提供することを目的としている。
【課題を解決するための手段】
【０００９】
請求項１記載の発明の画像処理装置は、原稿の画像を読み取って画像データを生成する画像読取手段と、該画像読取手段の生成した原稿画像データから該原稿の画像に予め埋め込まれている埋め込み画像の埋め込み画像データを抽出する抽出手段と、該抽出手段の抽出した埋め込み画像データから該埋め込み画像に組み込まれている画像処理コマンドを解析して前記原稿画像データに対して実施する画像処理内容を取得する解析手段と、該解析手段の取得した画像処理内容に応じた画像処理を前記原稿画像データに対して実施する画像処理手段と、を備えていることにより、上記目的を達成している。  
【００１０】
この場合、例えば、請求項２に記載するように、前記画像処理装置は、前記画像処理コマンドとして、前記原稿画像データの出力先情報を規定する出力先コマンドと該出力先へ出力する前記原稿画像データに施す出力画像処理内容を規定する出力画像処理コマンドから構成されていてもよい。
【００１１】
また、例えば、請求項３に記載するように、前記画像処理装置は、前記出力先コマンドに対応する出力先情報と前記出力画像処理コマンドに対応する前記出力画像処理内容を記憶する記憶手段を備え、前記解析手段は、前記出力先コマンドと前記出力画像処理コマンドに基づいて該記憶手段を参照して前記画像処理内容として該出力先情報と該出力画像処理内容を取得してもよい。
【００１２】
さらに、例えば、請求項４に記載するように、前記出力先コマンドは、前記出力先情報として、前記原稿画像データを出力する出力先の電子メールアドレス、前記原稿画像データを出力する出力先の記憶手段、または、前記原稿画像データを出力する出力先の記憶手段のフォルダの情報であってもよい。
【００１３】
また、例えば、請求項５に記載するように、前記画像処理コマンドは、前記出力画像処理内容として、前記出力画像に対する解像度を指定する情報を含んでいてもよい。
【発明の効果】
【００１４】
本発明の画像処理装置によれば、画像読取手段が読み取って生成した原稿の画像データから抽出手段で、該原稿の画像に予め埋め込まれている埋め込み画像の埋め込み画像データを抽出し、解析手段で、該抽出した埋め込み画像データから該埋め込み画像に組み込まれている画像処理コマンドを解析して該原稿画像データに対して実施する画像処理内容を取得し、画像処理手段で、該取得した画像処理内容に応じた画像処理を原稿画像データに対して実施することにより、原稿画像データの送信先の指定と必要な画像処理内容を簡単かつ正確に行うことができ、利用性及び機密保持性を向上させることができる。
【発明を実施するための最良の形態】
【００１５】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１６】
図１〜図５は、本発明の画像処理装置の一実施例を示す図であり、図１は、本発明の画像処理装置の一実施例を適用したデジタル複写装置１の要部概略構成図である。
【００１７】
図１において、デジタル複写装置１は、読取部１０、像形成部２０、システム制御部４０、ＩＰＵ（Image Processing Unit：画像処理部）５１、セレクタ部５２、記憶部５３及び操作表示部５４等を備えており、インターネット、ＬＡＮ（Local Area Network）等の所定のネットワークＮＷに接続されている。
【００１８】
読取部（画像読取手段）１０は、コンタクトガラス等の原稿台１１、原稿台１１の下方の図示しない第１走行体上に搭載された露光ランプ１２と第１ミラー１３、第２走行体所に搭載された第２ミラー１４と第３ミラー１５、ＣＣＤ（Charge Coupled Device ）イメージセンサ１６、信号処理部１７及びスキャナ制御部１８等を備えており、原稿台１１上には、読取対象の原稿Ｇがセットされる。
【００１９】
読取部１０は、第１走行体と第２走行体をそれぞれ所定の移動速度で副走査方向（図１中矢印方向）に移動させながら、原稿台１１上の原稿Ｇに第１走行体上の露光ランプ１２から読取光を照射するスキャン露光を行って、原稿Ｇで反射された反射光を第１ミラー１３で第２走行体上の第２ミラー１４に反射する。読取部１０は、第２ミラー１４で反射光を第３ミラー１５方向に反射して、第３ミラー１５で反射光を図示しないレンズ方向に反射し、レンズで反射光をＣＣＤイメージセンサ１６に集光して、ＣＣＤイメージセンサ１６でアナログ画像データに光電変換して信号処理部１７に出力することで、原稿の画像を読み取って画像データを生成する。
【００２０】
信号処理部１７は、増幅器、Ａ／Ｄ変換回路、シェーディング補正回路等を備え、ＣＣＤイメージセンサ１６から入力されるアナログの画像データを、その増幅器で所定の電圧振幅に増幅した後、Ａ／Ｄ変換回路でデジタルデータに変換し、シェーディング補正回路で必要なシェーディング補正を行った後、画像同期信号と共にＩＰＵ５１に出力する。
【００２１】
スキャナ制御部１８は、読取部１０の上記読取プロセスを実行するために、各種センサからの検知信号の監視及び検知信号に応じた駆動モータ等の制御を行い、また、シェーディング補正回路及びＩＰＵ５１に対して各種パラメータの設定処理を行う。
【００２２】
ＩＰＵ５１は、読取部１０の信号処理部１７から入力される画像データや記憶部５３からセレクタ部５２を介して入力される画像データに対して、２次元リアルタイム変倍処理、文字、線字画像等の解像力を向上させるＭＴＦ補正、信号ノイズを除去し写真等の再現性を向上させる平滑化処理等を行う空間フィルタ処理及び濃度設定機能に応じたγ補正処理、画質設定機能に応じて中間調処理等を行う諧調処理等を行う。
【００２３】
像形成部２０は、感光体２１の周囲に、帯電チャージャ２２、書込部２３、現像装置２４、転写チャージャ２５、分離チャージャ２６、クリーニング装置２７及び除電チャージャ２８が配設されており、さらに、プロッタ制御部２９、給紙トレイ３０ａ〜３０ｄ、給紙コロ３１ａ〜３１ｄ、レジストローラ３２、定着装置３３、排紙コロ３４及び排紙トレイ３５等を備えている。
【００２４】
書込部２３には、読取部１０の読み取った原稿Ｇの画像データや記憶部５３から読み出された画像データがＩＰＵ５１から入力され、書込部２３は、画像データで変調したレーザ光を感光体２１に照射する。
【００２５】
像形成部２０は、図示しない駆動モータで回転駆動される感光体２１を、帯電チャージャ２２で一様に帯電し、書込部２３が、上述のように、画像データによって変調されたレーザ光により露光して、感光体２１に静電潜像を形成する。像形成部２０は、感光体２１上の静電潜像を現像装置２４によりトナーで現像して顕像化したトナー像を形成し、感光体２１がさらに回転してトナー画像を転写チャージャ２５の位置に搬送する。
【００２６】
一方、像形成部２０は、給紙トレイ３０ａ〜３０ｄから給紙コロ３１ａ〜３１ｄによって搬送して、レジストローラ３２で待機させている転写紙（図示略）を、感光体２１の回転とタイミングを図って転写チャージャ２５に搬送し、転写チャージャ２５によって感光体２１上のトナー像を転写紙に静電転写した後、分離チャージャ２６によって転写紙を感光体２１から分離する。
【００２７】
その後、像形成部２０は、転写紙上のトナー像を定着装置３３により加熱・加圧して定着し、排紙コロ３４により排紙トレイ３５上に排紙する。
【００２８】
一方、像形成部２０は、静電転写の完了した感光体２１をさらに回転させて、感光体２１上に残留したトナーを、クリーニング装置２７を感光体２１に圧接して感光体２１から除去し、さらに、感光体２１を回転して除電チャージャ２８により除電して、次の像形成に供する。
【００２９】
プロッタ制御部２９は、各種センサの検知結果等に基づいて、駆動モータ等の制御を行い、上記像形成プロセスを実行する。
【００３０】
セレクタ部５２は、システム制御部４０からの指示により、セレクタ部５２の状態を変化させ、像形成を行う画像データのソースを読取部１０と記憶部５３の何れかから選択して、像形成部２０に転送する。
【００３１】
記憶部５３は、システム制御部４０の制御下で、通常は、ＩＰＵ５１から入力される原稿Ｇの画像データを記憶して、リピートコピー、回転コピー等の複写アプリケーションを行うのに使用される。また、記憶部５３は、システム制御部４０の制御下で、各種画像データ処理での画像データを一時記憶するバッファメモリとしても使用される。
【００３２】
操作表示部５４は、各種操作キーや表示部等を備え、デジタル複写装置１に動作させる各種指示が操作キーから入力操作され、当該入力された指示内容をシステム制御部４０に出力する。また、操作表示部５４は、操作キーから入力された内容やデジタル複写装置１の各種状態をシステム制御部４０の制御下で表示部に表示出力する。
【００３３】
そして、上記システム制御部４０は、スキャナ制御部１８を介して読取部の各部を制御して読取部１０による原稿Ｇの読み取りを制御し、また、プロッタ制御部２９を介して像形成部２０による転写紙への画像形成を制御するとともに、本発明の埋め込み画像処理を実行する要部機能ブロックが、図２に示すように構成されている。
【００３４】
図２において、システム制御部４０は、画像ハンドリングモジュール４１、埋め込み画像検索モジュール４２、埋め込み画像解析モジュール４３、解析データ記憶部４４、画像送信モジュール４５及びネットワーク接続モジュール４６等を備えている。
【００３５】
画像ハンドリングモジュール４１は、読取部１０で読み取られＩＰＵ５１で必要な画像処理が行われて記憶部５３に蓄積された原稿Ｇの画像データが入力され、該読取画像データ中に埋め込み画像ＵＧ（図３参照）の画像データが存在するか否かを判別するために、埋め込み画像検索モジュール４２に検索要求を行う。
【００３６】
埋め込み画像検索モジュール（抽出手段）４２は、埋め込み画像のフォーマットに合わせて元画像データ（読取画像データ）内を検索し、埋め込み画像データＵＧを発見すると、検索結果として、発見した埋め込み画像ＵＧ部分の画像データを画像ハンドリングモジュール４１に返す。
【００３７】
この埋め込み画像ＵＧは、例えば、図３に示すように、読取対象の原稿Ｇに予め埋め込まれている画像であり、該読み取った原稿Ｇの画像データに施す送信処理、原稿画像データに施す画像処理等の必要な画像処理内容を所定の画像形式で画像化した画像である。図３では、埋め込み画像ＵＧは、画像処理コマンドを２次元バーコードとして画像化しているが、画像形式は、２次元バーコードに限るものではなく、該埋め込み画像ＵＧを読み取って解析処理を施すことで、画像処理内容を正確に取り出すことのできる画像形式であればどのような画像形式、例えば、ＱＲコード、地紋、３次元バーコード、暗号化画像、数値化画像、文字画像等であってもよい。なお、埋め込み画像ＵＧとしては、原稿の本来の画像の視認性や見栄え等の本来の画像の視認性を低下させない大きさであることが必要であり、その画像形式としては、できるだけ埋め込み画像ＵＧの大きさを小さくかつ必要な画像処理内容を明確に画像化できるものを採用することが望ましい。
【００３８】
また、図３では、埋め込み画像ＵＧに画像処理内容として、送信先のメールアドレスで示されている送信先コマンドと出力画像処理コマンド（Ｓ：０１ｈ）が２次元バーコード化されている場合について示されており、これらの埋め込み画像ＵＧとして画像化する画像処理内容も、本来の画像に影響を与えないために、シンプルでできるだけデータサイズも小さく抑えることが望ましい。
【００３９】
この埋め込み画像ＵＧは、原稿Ｇの画像形成時に同時に画像形成してもよいし、画像の形成されている原稿Ｇに埋め込み画像ＵＧのプリントされた用紙を貼り付けたり、簡易プリンタ等で画像の形成されている原稿Ｇにプリントしてもよい。
【００４０】
そして、本実施例では、画像処理コマンドとして、図４に示すように、プレフィックスとサフィックスの２部から構成されるシンプルなコマンドフォーマットからなるコマンド（入力コマンド）を用いており、プレフィックス（図４のＳ、Ｍ、Ｌに相当する部分）で、大まかな命令内容を、サフィックス（図４の０１ｈ、０２ｈ等に相当する部分）で、付加的な命令情報を表現している。
【００４１】
この図４に示した画像処理コマンドの命令内容は、図２の埋め込み画像解析モジュール４３に接続されている解析データ記憶部（記憶手段）４４に、コマンドテーブルの形式で格納されており、図４では、画像処理コマンド（入力コマンド）に対して、その処理内容（画像処理内容）が対応付けて登録されている。図４のコマンドテーブルでは、入力コマンドＳ：０１ｈ〜０３ｈは、単宛先（１つの宛先）に対して、どのような解像度で送信するか、コマンドＭ：０１ｈ〜０３ｈは、複数宛先（複数の宛先）に対して、どのような解像度で送信するか、コマンドＬ：０１ｈ〜０３ｈは、送信先のメモリに、どのような解像度で保存するかの画像処理内容が登録されており、また、各コマンドの０１ｈ〜０３ｈは、画像の解像度を示しており、０１ｈは、低解像度、０２ｈは、中解像度、０３ｈは、高解像度を示している。なお、図４では、画像処理コマンドの命令内容が、Ｓ、Ｍ、Ｌの送信関連情報を示す送信先コマンド（単宛先送信等）と、０１ｈ、０２ｈ、０３ｈの解像度関連情報を示す出力画像処理コマンド（低解像度等）である場合を示しているが、画像処理コマンドの命令内容としては、これらの命令内容に限るものではなく、送信する画像に対して必要な画像処理内容を命令内容とすることができる。例えば、読取部１０で読み取った原稿画像を記憶部５３のフォルダまたはネットワークＮＷ上のコンピュータ等の記憶部のフォルダに転送して保存するスキャンｔｏフォルダの場合には、転送先のそのメモリやフォルダへのパスがバーコード等の埋め込み画像ＵＧに記述される。
【００４２】
画像ハンドリングモジュール４１は、埋め込み画像検索モジュール４２から埋め込み画像ＵＧを受け取ると、該埋め込み画像ＵＧの解析処理を埋め込み画像解析モジュール４３に要求し、埋め込み画像解析モジュール（解析手段）４３は、埋め込み画像ＵＧのフォーマットに従って、解析データ記憶部４４のコマンドテーブルを参照して、画像処理コマンドの内容、例えば、図３及び図４の場合、メールアドレスデータとコマンドデータを抽出する。埋め込み画像解析モジュール４３は、埋め込み画像ＵＧを解析して画像処理コマンドの内容を抽出すると、抽出結果を画像送信モジュール４５に通知する。
【００４３】
画像送信モジュール４５は、ネットワーク接続モジュール４６を介して上記インターネット、ＬＡＮ等のネットワークＮＷに接続されており、ネットワーク接続モジュール４６は、接続されているネットワークＮＷの種類に適した接続処理、例えば、ネットワークＮＷがインターネットであれば、画像送信モジュール４５によるインターネットを介した通信コマンドとデータの送受信処理を行って、画像送信モジュール４５による電子メールの送受信処理を可能とし、ネットワークＮＷがＬＡＮであれば、該ＬＡＮであるネットワークＮＷ上のコンピュータ、プリンタ、他のデジタル複写装置等のネットワーク機器とのコマンドとデータの送受信処理を行って、画像送信モジュール４５による該ネットワーク機器の指定のメモリのフォルダへの画像データの送信処理や画像データの受信処理等を可能とする。
【００４４】
画像送信モジュール４５は、埋め込み画像解析モジュール４３からの埋め込み画像ＵＧの解析結果に基づいて読取画像データの送信先の設定と、必要な画像処理（例えば、解析結果が解像度を指定しており、読取画像が指定の解像度と異なるときには、指定の解像度に変換する解像度変換処理等）を行って、処理後の読取画像データを、ネットワーク接続モジュール４６を介して、例えば、電子メールに添付して指定の宛先に送信し、また、指定のネットワーク機器に送信する。また、画像送信モジュール４５は、埋め込み画像ＵＧの解析結果が記憶部５３の所定のフォルダやデジタル複写装置１の他のメモリの所定のフォルダへのスキャンｔｏフォルダが指定しているときには、該フォルダへの画像データの転送処理を行う。上記画像送信モジュール４５と画像ハンドリングモジュール４１は、全体として画像処理手段として機能している。
【００４５】
次に、本実施例の作用を説明する。本実施例のデジタル複写装置１は、原稿Ｇに埋め込まれている埋め込み画像の指定する送信先に該原稿Ｇの画像データを該埋め込み画像の指示する画像処理を行って送信する。
【００４６】
すなわち、図５に示すように、埋め込み画像ＵＧがその原稿画像に埋め込まれている原稿Ｇが読取部１０の原稿台１１上にセット（設置）されて操作表示部５４のスタートキーが押下されると（ステップＳ１０１）、システム制御部４０は、読取部１０に該原稿Ｇの読み取りを行わせ、読み取った原稿の画像データに信号処理部１７で必要な信号処理を施した後、デジタルの読取画像データとしてＩＰＵ５１に出力する。システム制御部４０は、ＩＰＵ５１に読取画像データに必要な画像処理を施させた後、記憶部５３に蓄積し、その画像ハンドリングモジュール４１が、埋め込み画像検索モジュール４２に読取画像データ中に埋め込み画像データＵＧが存在するか否かの検索要求を行う。
【００４７】
埋め込み画像検索モジュール４２は、上述のように、埋め込み画像のフォーマットに合わせて読取画像データ内を検索して、検索結果を画像ハンドリングモジュール４１に返す。このとき、埋め込み画像検索モジュール４２は、埋め込み画像データＵＧを発見すると、検索結果として、発見した埋め込み画像ＵＧ部分の画像データを画像ハンドリングモジュール４１に返す（ステップＳ１０２）。
【００４８】
画像ハンドリングモジュール４１は、埋め込み画像検索モジュール４２からの検索結果を受け取ると、埋め込み画像ＵＧがあるか否かを判別し（ステップＳ１０３）、埋め込み画像ＵＧがあるときには、該埋め込み画像ＵＧの解析処理を埋め込み画像解析モジュール４３に要求し、埋め込み画像解析モジュール４３は、埋め込み画像ＵＧのフォーマットに従って、解析データ記憶部４４のコマンドテーブルを参照して、埋め込み画像ＵＧに画像処理コマンド（埋め込み情報）があるか判別する（ステップＳ１０５）。
【００４９】
ステップＳ１０５で、画像処理コマンドがあるときには、埋め込み画像解析モジュール４３は、解析データ記憶部４４のコマンドテーブルを参照して、該画像処理コマンドの内容、例えば、図３及び図４の場合、送信先としてのメールアドレスと画像処理内容としての解像度を示す命令内容を抽出し、該抽出結果を画像送信モジュール４５に通知する（ステップＳ１０６）。なお、この画像処理コマンドの命令内容は、送信先情報としてのメールアドレスと出力画像処理内容としての解像度を示す命令内容に限るものではなく、送信方法と送信する画像に対するその他の必要な画像処理内容等を命令内容とすることができ、例えば、上述のように、読取部１０で読み取った原稿画像を記憶部５３のフォルダまたはネットワークＮＷ上のコンピュータ等の記憶部のフォルダに転送して保存するスキャンｔｏフォルダの場合には、転送先のそのメモリやフォルダへのパスと必要な画像処理等を命令内容とすることができる。
【００５０】
画像送信モジュール４５は、埋め込み画像解析モジュール４３からの埋め込み画像ＵＧの解析結果に基づいて原稿画像データの送信先の設定と、必要な出力画像処理を行って、処理後の原稿画像データを、ネットワーク接続モジュール４６を介して、例えば、電子メールに添付して指定の宛先に送信し、また、指定のネットワーク機器に送信する。また、画像送信モジュール４５は、埋め込み画像ＵＧの解析結果が記憶部５３の所定のフォルダやデジタル複写装置１の他のメモリの所定のフォルダへのスキャンｔｏフォルダが指定しているときには、該フォルダへの画像データの転送処理を行う（ステップＳ１０７）。
【００５１】
ステップＳ１０５で、画像処理コマンドがないときには、埋め込み画像解析モジュール４３は、その旨を画像送信モジュール４５に通知し、画像送信モジュール４５は、操作表示部５４の表示部に送信先の入力を促す表示を行って、該表示に応じて操作表示部５４から送信先（メールアドレス等）がアドレス入力やアドレス帳からの送信先指定等の方法で入力されるのを待ち（ステップＳ１０８）、送信先が入力されると、読取画像データを電子メールに添付して送信する等の方法で該読取画像データを該入力された送信先に送信して処理を終了する（ステップＳ１０７）。
【００５２】
また、ステップＳ１０３で、原稿Ｇに埋め込み画像ＵＧがないときには、画像ハンドリングモジュール４１が、埋め込み画像ＵＧがない旨を画像送信モジュール４５に通知して、画像送信モジュール４５が、操作表示部５４の表示部に送信先の入力を促す表示を行って、該表示に応じて操作表示部５４から送信先（メールアドレス等）がアドレス入力やアドレス帳からの送信先指定等の方法で入力されるのを待ち（ステップＳ１０８）、送信先が入力されると、読取画像データを電子メールに添付して送信する等の方法で該読取画像データを該入力された送信先に送信して処理を終了する（ステップＳ１０７）。
【００５３】
このように、本実施例のデジタル複写装置１は、埋め込み画像検索モジュール４２が、読取部１０で読み取って生成した原稿の画像データから該原稿の画像に予め埋め込まれている埋め込み画像ＵＧの埋め込み画像データを抽出し、埋め込み画像解析モジュール４３が、該抽出された埋め込み画像データから該埋め込み画像ＵＧに組み込まれている画像処理コマンドを解析して該原稿画像データに対して実施する画像処理内容を取得し、画像送信モジュール４５や画像ハンドリングモジュール４１で、該取得した画像処理内容に応じた画像処理を原稿画像データに対して実施している。
【００５４】
したがって、読み取った原稿画像データの送信先の指定等の必要な画像処理内容を簡単かつ正確に行うことができ、利用性及び機密保持性を向上させることができる。
【００５５】
また、本実施例のデジタル複写装置１は、画像処理コマンドとして、原稿画像データの出力先情報を規定する出力先コマンド（メールアドレス）と該出力先へ出力する原稿画像データに施す出力画像処理内容を規定する出力画像処理コマンドから構成されていてもよい。
【００５６】
したがって、読み取った原稿画像データを必要な画像処理して、指定の宛先に電子メールに添付して送信することができ、利用性を向上させることができる。
【００５７】
さらに、本実施例のデジタル複写装置１は、出力先コマンドに対応する出力先情報と出力画像処理コマンドに対応する出力画像処理内容を解析データ記憶部４４にコマンドテーブルとして記憶し、埋め込み画像解析モジュール４３が、出力先コマンドと出力画像処理コマンドに基づいて該解析データ記憶手段４４のコマンドテーブルを参照して画像処理内容として該出力先情報と該出力画像処理内容を取得してしる。
【００５８】
したがって、原稿画像データの送信先と必要な画像処理内容を速やかにかつ適切に取得して、原稿画像データの送信先の指定と出力画像に必要な出力画像処理内容を簡単かつ正確に行うことができ、利用性及び機密保持性を向上させることができる。
【００５９】
また、本実施例のデジタル複写装置１は、出力先コマンドが、出力先情報として、原稿画像データを出力する出力先の電子メールアドレス、原稿画像データを出力する出力先のメモリ、または、原稿画像データを出力する出力先のメモリのフォルダの情報であってもよい。
【００６０】
したがって、ユーザの意図する各種出力先に適切かつ確実に出力することができ、利用性及び機密保持を向上させることができる。
【００６１】
また、本実施例のデジタル複写装置１は、画像処理コマンドが、出力画像処理内容として、出力画像に対する解像度を指定する情報を含んでいる。
【００６２】
したがって、原稿画像データの出力先に適した画像解像度で、出力することができ、画像品質を向上させつつ、利用性及び機密保持性を向上させることができる。
【００６３】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００６４】
本発明は、外部との通信機能を備えスキャナ、複写装置、複合装置等の原稿の画像を読み取って電子メール等で該読み取った原稿の画像データを送信する画像処理装置に適用することができる。
【図面の簡単な説明】
【００６５】
【図１】本発明の画像処理装置の一実施例を適用したデジタル複写装置の要部概略構成図。
【図２】図１のシステム制御部の要部機能ブロック図。
【図３】埋め込み画像の埋め込まれている原稿の一例を示す図。
【図４】図２の解析データ記憶部に格納されているコマンドテーブルの一例を示す図。
【図５】図１のデジタル複写装置による画像処理方法自動設定処理を示すフローチャート。
【符号の説明】
【００６６】
１  デジタル複写装置
１０  読取部
１１  原稿台
１２  露光ランプ
１３  第１ミラー
１４  第２ミラー
１５  第３ミラー
１６  ＣＣＤイメージセンサ
１７  信号処理部
１８  スキャナ制御部
Ｇ  原稿
２０  像形成部
２１  感光体
２２  帯電チャージャ
２３  書込部
２４  現像装置
２５  転写チャージャ
２６  分離チャージャ
２７  クリーニング装置
２８  除電チャージャ
２９  プロッタ制御部
３０ａ〜３０ｄ  給紙トレイ
３１ａ〜３１ｄ  給紙コロ
３２  レジストローラ
３３  定着装置
３４  排紙コロ
３５  排紙トレイ
４０  システム制御部
４１  画像ハンドリングモジュール
４２  埋め込み画像検索モジュール
４３  埋め込み画像解析モジュール
４４  解析データ記憶部
４５  画像送信モジュール
４６  ネットワーク接続モジュール
５１  ＩＰＵ
５２  セレクタ部
５３  記憶部
５４  操作表示部
ＮＷ  ネットワーク
【図１】
2008113125.tif 000003
【図２】
2008113125.tif 000004
【図３】
2008113125.tif 000005
【図４】
2008113125.tif 000006
【図５】
2008113125.tif 000007